(57)【要約】【課題】色覚正常者にも色覚異常者にも状態表示プレートの変化を視覚的に充分に知らしめることが可能な表示制御システムを提供する。【解決手段】伝達すべき対象情報を選択するための操作器１と、操作器１で選択された情報に対応して表示態様を切り換え表示する表示盤２とを備えた表示制御システムにおいて、表示盤２は、表示すべき基本情報を記した基本プレート３αと、伝達すべき対象情報に対応した識別模様３βとを組み合わせて表示する。【選択図】図１
2009205215.tif 000002
【特許請求の範囲】
【請求項１】
伝達すべき対象情報を選択するための操作器と、前記操作器で選択された情報に対応して表示態様を切り換え表示する表示盤とを備えた表示制御システムにおいて、
前記表示盤は、表示すべき基本情報を記した基本プレートと、前記伝達すべき対象情報に対応した識別模様とを組み合わせて表示する構成にしている表示制御システム。
【請求項２】
請求項１において、
前記表示制御システムは、前記操作器で選択された前記対象情報に応じて前記表示態様を切り換えるウェブサーバ機器を制御装置として備え、
前記操作器は、ウェブブラウザを搭載したウェブクライアント機器として構成されていることを特徴とする表示制御システム。
【請求項３】
請求項２において、
前記操作器は、表示画面を備えており、
定期的に前記表示画面を更新して、自器のみならず他の操作器で選択された対象情報を表示する自動更新表示モードと、
自器での選択がなされた時点で前記表示画面を更新して、その時点までに他の操作器で選択された対象情報を表示させる蓄積更新表示モードとのいずれかを選択的に実行可能にしていることを特徴とする表示制御システム。
【請求項４】
請求項１〜３のいずれかにおいて、
前記表示盤は、前記操作器で選択された対象情報に対応した表示色で表示態様を表示させ、その表示色と、前記識別模様との対応関係を説明するガイド情報を更に表示する構成にしていることを特徴とする表示制御システム。
【請求項５】
請求項１〜４のいずれかにおいて、
前記識別模様は、明暗パターンを要素としており、上記対象情報に対応して、少なくとも明暗パターンが異なっていることを特徴とする表示制御システム。
【発明の詳細な説明】
【技術分野】
【０００１】
本発明は、操作入力を行うための操作器と、操作器への操作入力に対応して、個人の所在情報を切り換えて表示する複数の状態表示プレートを表示する表示盤とを備えた表示制御システムに関する。
【背景技術】
【０００２】
上記表示制御システムの従来例を図に従って説明する。
図６は、その表示システムの概略構成を説明するシステム図である。
【０００３】
この表示制御システムは、操作入力を行うための操作器１（１ａ、１ｂ、１ｃ、・・・）と、操作器１への操作入力によって、個人の所在情報を示した複数の状態表示プレートのうち、対応した個人の状態表示プレートを切り換え表示する表示盤２とを備えている。
【０００４】
操作器１ａは、業務用インターホンに類似した外観を有し、個室オフィスの机上に設置され、表面に操作ボタンを具備している。そして、所在情報として、在席・会議・出張・退社の４つの状態のいずれかを選択できる。選択された４つの状態は、ビル内の人通りの多い共用通路の壁に壁かけられた表示盤２に表示される。
【０００５】
表示盤２には、状態表示プレート３（３ａ、３ｂ、３ｃ、・・・）が多数並んで配置されている。この状態表示プレート３（３ａ、３ｂ、３ｃ、・・・）のそれぞれは、対応した操作器１ａの操作によって、所定の表示色に変化する。例えば、操作器１ａで、「在席」を選択すれば、対応した状態表示プレート３ａは緑色になり、「会議」を選択操作すれば赤色になり、「出張」を選択操作すれば橙色になり、「退社」を選択操作すれば灰色になるといった具合である。すなわち、所在情報を、予め割り当てた表示色によって示すようになっている。
【０００６】
また、操作器１ｂも、「在席」、「会議」、「出張」、「退社」の４つの状態を選択して、状態表示プレート３ｂの表示色を切り換えることができる。この操作器１ｂは、秘書室等に設置され、秘書あるいは代行入力者が操作する。これら操作器１ａ、操作器１ｂ、表示盤２は、ビル内のＬＡＮ設備によって表示盤２に接続されている。
【０００７】
このような表示制御システムは、官公庁、地方自治体、学校、病院、福祉施設はもちろん、民間企業にも導入されている。特に官公庁の場合、自分の現在位置の近くに表示盤２が見えれば、議員や幹部職員など離席することの多い役職者の在・不在を、電話などせず一目で確認することも可能となる。
【０００８】
なお、特許文献１には、ポーリングセレクティング方式を用いた時分割多重伝送通信による第１の出退表示設備（Ｉ）と、クライアントサーバ方式を用いたＷｅｂブラウジング通信による第２の出退表示設備（ＩＩ）とのあいだを、通信制御盤１で相互に通信可能とすることにより、出退表示を、旧来の第１の出退表示設備（Ｉ）の出退表示器４だけでなく、第２の出退表示設備（ＩＩ）のネットワーク端末においても閲覧可能とした出退表示システムが開示されている。
【特許文献１】特開２００３−６７７９７号公報
【発明の開示】
【発明が解決しようとする課題】
【０００９】
図６の表示制御システムにおける表示盤２は、例えばＬＥＤをバックライトとして状態表示プレート３（３ａ、３ｂ、３ｃ、・・・）を裏側から照らす構成であり、専用の表示装置となっていた。つまり、固定配置の状態表示プレート３（３ａ、３ｂ、３ｃ、・・・）を照らすことだけが可能であり、状態表示プレート３（３ａ、３ｂ、３ｃ、・・・）のレイアウト配置の変更を要する事態が生じても、そのような配置変更は極めて面倒なため作業コストが高額になっていた。また、表示盤２を他の表示目的に兼用することもできなかった。
【００１０】
このような問題を解消すべく、表示盤２を、近年普及している大型のプラズマディスプレイあるいは液晶パネルに置換し、ＬＡＮやインターネットなどで広く使われている高速通信技術を適用することが考えられる。そうすれば、内部インターフェース回路によって表示盤２への映像表示入力を切り換える等によって、他の表示目的に兼用できるようになる。
【００１１】
しかしながら、表示盤２としてプラズマディスプレイや液晶パネルを採用した構成では、状態表示プレート３（３ａ、３ｂ、３ｃ、・・・）の表示色の変化が、色覚異常者には見え難い場合があるという問題が生じる。色覚異常者の人数は一般に少ないとはいえず、どの組織でも労働力確保のため色覚異常者にも充分な力を発揮してほしいので、色覚正常者にも色覚異常者にも視覚的な情報を充分に与えることが望まれている。これは、ＵＤ（ユニバーサルデザイン）が浸透している近年、特に解決せねばならない課題である。
【００１２】
本発明は、このような問題の解決を課題としており、色覚正常者にも色覚異常者にも状態表示プレートの変化を視覚的に充分に知らしめることが可能な表示制御システムを提供する。
【課題を解決するための手段】
【００１３】
上記課題を解決するため、本発明は、伝達すべき対象情報を選択するための操作器と、前記操作器で選択された情報に対応して表示態様を切り換え表示する表示盤とを備えた表示制御システムにおいて、前記表示盤は、表示すべき基本情報を記した基本プレートと、前記伝達すべき対象情報に対応した識別模様とを組み合わせて表示する。
【００１４】
また、前記表示制御システムは、前記操作器で選択された前記対象情報に応じて前記表示態様を切り換えるウェブサーバ機器を制御装置として備え、前記操作器は、ウェブブラウザを搭載したウェブクライアント機器として構成されていてもよい。
【００１５】
また、前記操作器は、前記操作器は、表示画面を備えており、定期的に前記表示画面を更新して、自器のみならず他の操作器で選択された対象情報を表示する自動更新表示モードと、自器での選択がなされた時点で前記表示画面を更新して、その時点までに他の操作器で選択された対象情報を表示させる蓄積更新表示モードとのいずれかを選択的に実行可能としてもよい。
【００１６】
また、前記表示盤は、前記操作器で選択された対象情報に対応した表示色で表示態様を表示させ、その表示色と、前記識別模様との対応関係を説明するガイド情報を更に表示する構成としてもよい。
【００１７】
また、前記識別模様は、明暗パターンを要素としており、上記対象情報に対応して、少なくとも明暗パターンが異なるようにしてもよい。
【発明の効果】
【００１８】
本発明では、操作器で選択される対象情報のそれぞれに固有の識別模様が予め割り当てられており、表示盤は所定の基本プレートと識別模様との組み合わせとして表示するので、色覚異常者であっても識別模様によって所在情報を判別することができる。
【００１９】
ウェブサーバ機器として構成された制御装置を備え、操作器を、ウェブブラウザを搭載したウェブクライアント機器として構成した場合には、操作器として例えばノートパソコン等を使用可能であり、また既存の組織内ＬＡＮを利用して本システムを容易に構築できる。また組織内ＬＡＮに接続可能な機器であれば、物理接続ポイントを換えても通信可能なので、セキュリティ制限の範囲で接続ポイントを任意に変更でき、モバイル接続も可能となる。
【００２０】
操作器を、自動更新表示モードと蓄積更新表示モードとのいずれかを選択可能な構成とした場合には、操作器の台数、ネットワークの容量等に対して最適にシステム設定ができる。すなわち、自動更新表示モードは、リアルタイムで他の操作器における対象情報の選択結果を把握することができるが、それには定期的に制御装置と通信する必要があるため、ネットワークに対する負荷が大きくなる。一方、蓄積更新表示モードは、リアルタイムで他の操作器における対象情報の選択結果を把握することはできないが、自器で対象情報を選択した時点でのみ制御装置と通信すればよいので、ネットワークに対する負荷が小さくなる。このような選択的実行を可能としたことにより、様々なネットワークに本システムを導入できるようになる。
【００２１】
対象情報のそれぞれに、特有の識別模様、表示色を予め割り当て、表示盤には、対象情報と、識別模様および表示色との対応関係を説明するガイド情報を表示する構成では、その対応関係をすぐに覚えることができるので、本システムを導入したときの戸惑いが少なくなるという効果がある。
【００２２】
明暗パターンを識別模様の要素とし、対象情報に対応して、少なくとも明暗パターンが異なるようにすれば、色覚異常者が識別模様を判別することが容易になる。
【発明を実施するための最良の形態】
【００２３】
以下、本発明を所在情報の表示制御システムに適用した例を図に従って説明する。従って、この例では、対象情報には、各所在情報つまり「在籍」、「会議中」、「不在」、「帰宅」がある。
【００２４】
ここに図１は、その表示制御システムの概略構成を説明するシステム図である。また図２は本発明における表示盤の表示画面の例を示した図である。図３は、状態表示プレートの識別模様の変形例を示した図である。図４は状態表示プレートの基本プレートを横長に変更した例を示した図である。図５は状態表示プレートの識別模様の他の変形例を示した図である。
【００２５】
図１に示した表示制御システムは、操作器１（１ａ、１ｂ、１ｃ、・・・）と、表示盤２（２ａ、２ｂ）と、制御装置４（４ａ、４ｂ−１、４ｂ−２、・・・）とを備えて構成されている。
【００２６】
操作器１は、対象情報としての所在情報を選択するためのもので、ここでは３種類を挙げている。すなわち、従来の技術の記載欄で示したタイプである操作器１ａと、ウェブブラウザを搭載したウェブクライアント機器として構成され、卓上設置や壁掛け配置が可能なタイプである操作器１ｂと、操作器１ｂと同様なウェブクライアント機器である汎用ノートパソコンタイプである操作器１ｃである。
【００２７】
表示盤２は、操作器１（１ａ、１ｂ、１ｃ、・・・）で選択された所在情報に対応して表示態様が切り替わる状態表示プレートを画面に映し出すもので、ここでは２種類を挙げている。すなわち、従来の技術の記載欄で示したタイプである表示盤２ａと、大型プラズマディスプレイや大型液晶パネルのようなディスプレイ型の表示盤２ｂである。なお、本発明に係る状態表示プレート３（３ａ、３ｂ、３ｃ、・・・）はディスプレイ型の表示盤２ｂに表示される。
【００２８】
制御装置４は、ウェブサーバ機器として構成されており、操作器１で選択された所在情報を解読して表示盤２に状態表示プレートの表示態様を切り換えさせるもので、ここでは２種類を挙げている。すなわち、旧式の操作器１ａおよび表示盤２ａと直接的に通信が可能な構成とされた制御装置４ａと、直接的な通信相手が本発明による操作器１ｂ、１ｃ、表示盤２ｂ、および制御装置４ａに限定される制御装置４ｂ（４ｂ−１、４ｂ−２）である。
【００２９】
これらの操作器１（１ａ、１ｂ、１ｃ、・・・）、表示盤２（２ａ、２ｂ）、制御装置４（４ａ、４ｂ−１、４ｂ−２、・・・）は、図１に示したように相互に接続されている。
すなわち、操作器１ａ、表示盤２ａは、制御装置４ａに接続されており、従来の技術で説明したように、操作器１ａの押下される操作ボタンによって表示盤２ａのＬＥＤバックライト照射を制御してパネルの状態表示プレート３を点灯、あるいは消灯させる。ここで、操作器１ａは１台とは限らず、多数の台数が表示盤２ａと接続することもある。
【００３０】
操作器１ｂは、制御装置４ｂ−１に接続されている。また、本発明に係る表示盤２ｂは制御装置４ｂ−２に接続されている。
【００３１】
制御装置４ａ、制御装置４ｂ−１、制御装置４ｂ−２の３台は、既存の構内ＬＡＮ設備を介して、汎用ノートパソコンタイプであるモバイルタイプの多数の操作器１ｃと接続されており、各操作器１ａ、操作器１ｂ、操作器１ｃに入力される、表示盤２（２ａ、２ｂ）への表示依頼の内容を、制御装置４ａ、４ｂ−１、４ｂ−２の間で必要に応じて転送し合うように構成されている。この通信経路は、図１に示したように、操作器１ｃと接続する既存の構内ＬＡＮ設備に頼らずに更なる高速転送を可能とすべく、制御装置４ａ、４ｂ−１、４ｂ−２の３台の、各操作器１ａと表示盤２ａとの接続側と、表示盤２ｂとの接続側と、操作器１ｂとの接続側とで、互いに転送し合うように構築するのが望ましい。
【００３２】
操作器１ｂ、１ｃは、他の操作器での所在情報の選択の結果を表示するための表示画面を備えており、自器での所在情報の選択操作の有無に関わらず定期的に、表示画面の表示内容を、自器ののみならず他の操作器での所在情報の選択操作の結果が反映された表示内容に自動更新する自動更新表示モードと、自器での所在情報の選択操作がなされた時点で、表示画面を、他の操作器での所在情報の選択の結果が反映された表示に更新する蓄積更新表示モードとのいずれかで動作可能である。この２つの動作モードは、操作器１ｂ、１ｃに、所定のモード設定を施すことで切替可能とされている。
【００３３】
次いで、本発明に係る状態表示プレート３（３ａ、３ｂ、３ｃ、・・・）を図２に従って説明する。本発明では、所在情報のそれぞれには、固有の識別模様３βが予め割り当てられており、表示盤２ｂは、状態表示プレート３（３ａ、３ｂ、３ｃ、・・・）を、所定の基本プレート３αと、その識別模様３βとの組み合わせとして表示する。
【００３４】
基本プレート３αは、表示盤２ｂの画面に映し出される全ての状態表示プレート３（３ａ、３ｂ、３ｃ、・・・）で共通で、この例では、昔ながらの木製の札に似せた縦長の長方形状デザインとしている。一方、識別模様３β（３β−１、３β−２、３β−３、３β−４）は、所在情報に応じて選択決定されるものであり、所定の基本プレート３αである縦長の長方形の内側の所定位箇所に組み合わせて表示される。この例では、ドット形状の個数として長方形の下部に表示されている。すなわち、識別模様３β−１はドット１個で「在席」を意味し、識別模様３β−２はドット２個で「会議中」を意味し、識別模様３β−３はドット３個で「不在」を意味し、識別模様３β−４はドット無しで「帰宅」を意味する。
【００３５】
また所在情報は、状態表示プレート３の表示色によっても識別できることが望ましい。すなわち、「在席」には識別模様３β−１としてドット１個、表示色として緑色を割り当て、「会議中」には識別模様３β−２としてドット２個、表示色として紅色を割り当て、「不在」には識別模様３β−３としてドット３個、表示色として黄土色を割り当て、「帰宅」には識別模様３β−４としてドット無し、表示色として灰色を割り当てる。これにより、状態表示プレート３は、操作器１ａ、１ｂ、１ｃで選択された所在情報に対応した表示色で表示された基本プレート３αと、識別模様３βとの組み合わせとして表示される。
【００３６】
基本プレート３αの表示用データと、識別模様３β（３β−１、３β−２、３β−３、３β−４）の表示用データは、表示盤２ｂに予め記憶されており、操作器１ａ、１ｂ、１ｃで選択された所在情報に応じて読み出されて、表示画面上で組み合わされて見えるものであってもよい。なお、識別模様３βは、明暗パターンを要素としており、対象情報に対応して、少なくとも明暗パターンが異なっていることが望ましい。また、制御装置４ａ、４ｂ−１、４ｂ−２の３台のうちの少なくとも１台に予め記憶されており、操作器１ａ、１ｂ、１ｃで選択された所在情報の操作に応じてＷｅｂブラウジング機能とＨＴＴＰデーモン機能とによって読み出されて、表示画面で組み合わされて見えるものであってもよい。
【００３７】
また、所在情報と識別模様３βとの対応関係は記憶するのが面倒であり、識別模様３βのデザインが変わったりすると非常に紛らわしくなる。このような問題を解消するため、表示盤２ｂは、所在情報と、識別模様３βおよび表示色との対応関係を説明するガイド情報３γを表示するようにしている。
【００３８】
つまり、画面上部にガイド情報３γとして、識別模様３β−１であるドット１個を緑四角に重ねて「在席」の説明と組み合わせて表示し、識別模様３β−２であるドット２個を紅色四角に重ねて「会議中」の説明と組み合わせて表示し、識別模様３β−３であるドット３個を黄土色四角に重ねて「不在」の説明とを組み合わせて表示し、識別模様３β−４であるドット無しを灰色四角に重ねて「帰宅」の説明と組み合わせて表示している。
【００３９】
識別模様３βは、そもそも表示盤２ｂとして多目的に使用可能なものが望まれ、表示盤２ｂとしてプラズマディスプレイや液晶パネルを想定している。この場合、識別模様３β−１、３β−２、３β−３、３β−４の４種類の固定画像を用意して所定の基本プレート３αの空き領域に嵌め込む画像合成方法と、識別模様３β−１、３β−２、３β−３、３β−４の４種類の固定画像を所定の基本プレート３αの下端領域で濃淡調整することで影付けを行った結果としてドット形状が浮き上がって見えるような濃淡調整による画像調整方法という２つの画像処理方法とが可能である。
【００４０】
表示盤１ｂの画面には、時刻表示欄や組織ごとに共有すべき情報欄を表示するようにしてもよい。例えば、当日が自家用車通勤を戒める定期的な喚起日であれば、「本日はノーマイカーデー」なる表示をする。この表示は、当該組織にとって有用な情報を流すものであり、ネットワーク設定権限の高い操作器１ｃから転送されてきたデータに、都度差し替えて表示するようにすればよい。
【００４１】
図３、図４、図５は、図２の状態表示プレート３の基本プレート３αと識別模様３βとのデザインを変えた例である。
【００４２】
図３の例では、図２に比べて、識別模様３β（３β−１、３β−２、３β−３、３β−４）が変更され、下端が欠けた凹形状の個数になっている。すなわち、識別模様３β−１は凹形状１個で「在席」を意味し、識別模様３β−２は、凹形状２個で「会議中」を意味し、識別模様３β−３は凹形状３個で「不在」を意味し、識別模様３β−４は凹形状無しで「帰宅」を意味している。
【００４３】
図４の例では、対象情報は、何らかの評決の投票情報であり、具体的には、「賛成」、「反対」、「賛否意見保留」、「欠席」としている。
基本プレート３αは縦長ではなく横長となっている。識別模様３β（３β−１、３β−２、３β−３、３β−４）は、長方形の四隅の１つが強調された形状に変更されている。すなわち、識別模様３β−１は基本プレート３αの右上の強調マークとなっており「賛成」を意味する。また、識別模様３β−２は、基本プレート３αの左上の強調マークとなっており「反対」を意味する。識別模様３β−３は基本プレート３αの右下の強調マークとなっており「賛否意見保留」を意味する。識別模様３β−４は、基本プレート３αの左下の強調マークとなっており「欠席」を意味する。
【００４４】
図５の例は、図４の例から更に識別模様３βをチェック柄に替えたものである。このようにすると視認しやすくなる場合がある。
【００４５】
なお、図３から図５の例のいずれも、図２の例と同様に、対象情報のそれぞれに固有の識別模様３βを割り当てるだけでなく、更に、固有の表示色も割り当てて、状態表示プレート３を操作器１ｂ、１ｃで選択された対象情報に対応した表示色で表示しすることが望ましい。
【００４６】
また図２で示した識別模様３βの例であるドット形状３β−１、３β−２、３β−３は、浮き上がって見える凸形状のものに限らず、凹んで見える形状であってもかまわない。また、基本プレート３αの各色と、バックグランド面の単一色とのあいだに、大きなコントラスト（明暗の差）が生じていれば、図２や上記で示したような凹または凸の形状で表現せずとも、識別模様３β自体を、背景色が見える孔形状（切り抜き）として表現すれば、基本プレート３αの各色とバックグランド面の単一色との差がはっきりしているので、識別模様３βをより視認し易くなる。この考え方は、図２に限らず、図３の場合にも適用できる。また、図４の場合には、識別模様３βを基本プレート３αの四隅の１つを強調するデザインとしたが、四隅の１つの強調部分の面積を大きくしたデザインとしてもよい。また、四隅の１つを強調するに限らず、四隅の１つを切り落とした形状で表現することも視認性向上のために有効である。
【００４７】
図５で示したチェック柄は、図２〜図４で示した識別模様３βに比べて複雑なデザインであり、識別模様３β自体はよく視認できる。しかしデザインが複雑なので、識別模様３β−１、３β−２、３β−３、３β−４の意味を、ガイド情報欄３γに視線を移動して確認するのが面倒に感じることも考えられる。そのような場合には、表示盤２ｂの画像処理ソフトウェアを切り換えることによって、上述したような図２、図３、図４のいずれかの識別模様３βのデザインに切り換えて、色覚健常者、色覚異常者ともに見易いものを選択するようにしてもよい。つまり、識別模様３βのデザインは予め複数のパターンを用意しておき、ユーザによって選択可能にしてもよい。またユーザによってカスタマイズ可能にしてもよい。
【図面の簡単な説明】
【００４８】
【図１】表示制御システムの概略構成を説明するシステム図である。
【図２】本発明における表示盤の表示画面の例を示した図である。
【図３】状態表示プレートの識別模様の変形例を示した図である。
【図４】状態表示プレートの基本プレートを横長に変更した例を示した図である。
【図５】状態表示プレートの識別模様の他の変形例を示した図である。
【図６】従来の表示制御システムの概略構成を説明するシステム図である。
【符号の説明】
【００４９】
１    操作器
２    表示盤
３    状態表示プレート
３α  基本プレート
３β  識別模様
３γ  ガイド情報
４    制御装置
【図１】
2009205215.tif 000003
【図２】
2009205215.tif 000004
【図３】
2009205215.tif 000005
【図４】
2009205215.tif 000006
【図５】
2009205215.tif 000007
【図６】
2009205215.tif 000008